(57)【要約】【課題】移動機の発信が禁止される期間を短縮すること。【解決手段】移動機200は、バンドサーチを行い、移動機200が通信可能な圏内に属しているか否かを判定するバンドサーチ部212と、バンドサーチ部212による判定結果をユーザに示すユーザインターフェース部204と、ユーザの発信要求が、強制発信要求であるか否かを判断する発信判断部206と、無線基地局と通信を行うための通信部214と、発信判断部206による判断結果に応じて、バンドサーチ部212によるバンドサーチ又は通信部214による発信を実行させる発信制御部210とを有する。ユーザインターフェース部204が、圏外であることをユーザに示し、かつユーザから要求された発信要求が強制発信要求であった場合、発信制御部210は、バンドサーチ部212にバンドサーチを実行させ、移動機200が通信可能な圏内に属していた場合、発信制御部210は、通信部214による発信を実行させる。【選択図】図3
2011055233.tif 000002
【特許請求の範囲】
【請求項１】
移動通信システムにおける移動機であって、
バンドサーチを行い、当該移動機が通信可能な圏内に属しているか否かを判定するバンドサーチ部と、
前記バンドサーチ部による判定結果をユーザに示すユーザインターフェース部と、
ユーザの発信要求が、強制発信要求であるか否かを判断する発信判断部と、
無線基地局と通信を行うための通信部と、
前記発信判断部による判断結果に応じて、前記バンドサーチ部によるバンドサーチ又は前記通信部による発信を実行させる発信制御部と
を有し、前記ユーザインターフェース部が、圏外であることをユーザに示し、かつ前記ユーザから要求された発信要求が強制発信要求であった場合、前記発信制御部は、前記バンドサーチ部にバンドサーチを実行させ、当該移動機が通信可能な圏内に属していた場合、前記発信制御部は、前記通信部による発信を実行させる、移動機。
【請求項２】
前記ユーザインターフェース部が、強制発信を行うか否かの選択肢を表示する、請求項1記載の移動機。
【請求項３】
圏外であることがユーザに示されていた場合、ユーザの発信要求は、強制発信要求として処理される、請求項1又は2に記載の移動機。
【請求項４】
前記バンドサーチ部は、バンドサーチの周期を計測するタイマを有し、
前記バンドサーチ部は、タイマが満了した場合に加えて、ユーザの発信要求が強制発信要求であった場合にもバンドサーチを実行し、タイマをリセットする、請求項1ないし3の何れか1項に記載の移動機。
【請求項５】
移動通信システムの移動機で使用される方法であって、
バンドサーチを行い、前記移動機が通信可能な圏内に属しているか否かをバンドサーチ部により判定するステップと、
前記バンドサーチ部による判定結果を、ユーザインターフェース部によりユーザに示すステップと、
ユーザの発信要求が、強制発信要求であるか否かを発信判断部により判断するステップと、
前記発信判断部による判断結果に応じて、前記バンドサーチ部によるバンドサーチ又は通信部による発信を、発信制御部が実行させるステップと
を有し、前記ユーザインターフェース部が、圏外であることをユーザに示し、かつ前記ユーザから要求された発信要求が強制発信要求であった場合、前記発信制御部は、前記バンドサーチ部にバンドサーチを実行させ、前記移動機が通信可能な圏内に属していた場合、前記発信制御部は、通信部による発信を実行させる、方法。
【発明の詳細な説明】
【技術分野】
【０００１】
本発明は、移動通信システムにおける移動機及び方法に関する。
【背景技術】
【０００２】
移動通信システムで使用される移動機が、地下鉄のような電波の届かない場所に移動した場合、移動機の画面に「圏外」の表示がなされる。「圏外」と表示されている場合、音声やパケットの発信を行おうとすると、直ちに「圏外です」と表示され、発信は禁止される。これは、移動機が圏外に属していた場合に、無駄な発信を試みることのないように、ユーザインタフェース（UI）が発信制限を行っているからである。
【０００３】
図1は、このような場合の動作を概略的に示す。先ず、移動機のバンドサーチ部がバンドサーチを行い、移動機は圏外に属していることを検出する(S1)。検出結果は、ユーザインターフェース(UI)に通知される（S2）。移動機のユーザインターフェース(UI)は、移動機が圏外に属していることを画面に表示する(S3)。バンドサーチ部は、圏外であることを検出した後、バンドサーチのタイマをセットし、次のバンドサーチに備える。例えば5秒程度のバンドサーチのタイマが満了すると、次のバンドサーチが行われる(S4)。図示の例では、バンドサーチの結果、移動機は圏内に属していることが検出される(S5)。検出結果は、ユーザインターフェース(UI)に通知される(S6)。そして、移動機の画面の表示が「圏外」から「圏内」に変わる。圏内であることは、例えば、アンテナのピクトにより表示される(S7)。
【０００４】
ユーザインターフェース（UI）に「圏外」の表示がなされていた場合において、ユーザが発信を要求したとする(S8)。この場合、「圏外」の表示がなされているので、発信要求は拒否される（S9）。これに対して、「圏外」の表示がなされていなかった場合、ユーザからの発信要求(S10)は、ユーザインターフェース（UI）で拒否されず、通信部に通知され(S11)、無線基地局等のネットワーク側(NW)に送信される(S12)。
【０００５】
なお、従来の技術については、特許文献1ないし3等に記載されている。
【先行技術文献】
【特許文献】
【０００６】
【特許文献１】特開2002−44700号公報
【特許文献２】特開2005−26803号公報
【特許文献３】特開2006−108989号公報
【発明の概要】
【発明が解決しようとする課題】
【０００７】
ところで、移動機が圏外又は圏内にいることを確認するバンドサーチは、例えば5秒程度の一定期間毎に行われている。このため、移動機の画面における「圏外」であるか否かの表示は、少なくとも5秒程度維持され、移動機の実際の状態を必ずしも正確に反映していない場合がある。したがって、移動機が圏外から圏内に復帰したとしても、画面の表示が圏内となるまでに多少の時間がかかる。このため、圏外にいたユーザが、電波の届く圏内に復帰したことを自覚していたとしても、次のバンドサーチで圏内であることが確認されるまで、ユーザの発信は禁止されてしまう。なお、上記の5秒のような具体的な秒数は移動機の実装条件により相違し得る。しかしながら、バンドサーチが一定期間毎に行われる以上、多かれ少なかれユーザの発信が禁止されてしまうおそれがある。
【０００８】
本発明の課題は、このような移動機の発信が禁止される期間を短縮することである。
【課題を解決するための手段】
【０００９】
本発明の一形態では、移動通信システムにおける移動機200が使用される。
【００１０】
移動機200は、
バンドサーチを行い、当該移動機200が通信可能な圏内に属しているか否かを判定するバンドサーチ部212と、
前記バンドサーチ部212による判定結果をユーザに示すユーザインターフェース部202/204と、
ユーザの発信要求が、強制発信要求であるか否かを判断する発信判断部206と、
無線基地局と通信を行うための通信部214と、
前記発信判断部206による判断結果に応じて、前記バンドサーチ部212によるバンドサーチ又は前記通信部214による発信を実行させる発信制御部210と
を有し、前記ユーザインターフェース部202/204が、圏外であることをユーザに示し、かつ前記ユーザから要求された発信要求が強制発信要求であった場合、前記発信制御部210は、前記バンドサーチ部212にバンドサーチを実行させ、当該移動機が通信可能な圏内に属していた場合、前記発信制御部210は、前記通信部214による発信を実行させる、移動機である。
【００１１】
本発明の別の形態では、移動通信システムの移動機200における方法が使用される。
【００１２】
本方法は、
バンドサーチを行い、前記移動機200が通信可能な圏内に属しているか否かをバンドサーチ部212により判定するステップと、
前記バンドサーチ部212による判定結果を、ユーザインターフェース部202/204によりユーザに示すステップと、
ユーザの発信要求が、強制発信要求であるか否かを発信判断部206により判断するステップと、
前記発信判断部206による判断結果に応じて、前記バンドサーチ部212によるバンドサーチ又は通信部214による発信を、発信制御部210が実行させるステップと
を有し、前記ユーザインターフェース部202/204が、圏外であることをユーザに示し、かつ前記ユーザから要求された発信要求が強制発信要求であった場合、前記発信制御部210は、前記バンドサーチ部212にバンドサーチを実行させ、前記移動機が通信可能な圏内に属していた場合、前記発信制御部210は、通信部214による発信を実行させる、方法である。
【発明の効果】
【００１３】
本発明の一形態によれば、移動機の発信が禁止される期間を短縮することができる。
【図面の簡単な説明】
【００１４】
【図１】従来の移動機の動作を示すフローチャート。
【図２】一実施例による移動機のブロック図。
【図３】一実施例による移動機の動作を示すフローチャート。
【図４】通常発信要求及び強制発信要求に対する画面表示例を示す図。
【発明を実施するための形態】
【００１５】
本発明の一形態によれば、ユーザインターフェースUIは「圏外」を表示しているが、実際には圏内であった場合、ユーザは強制的に発信要求をネットワークに送信できる。このような強制的な発信をユーザが希望すると、移動機のバンドサーチ部はバンドサーチを行い、圏内であることが確認されると、移動機は発信要求をネットワークに無線送信する。これにより、バンドサーチは所定の周期で行われるだけでなく、ユーザの求める任意のタイミングでバンドサーチが実行され、発信が禁止される期間を短縮することができる。特に、ユーザインターフェースUIは「圏外」を表示しているが、実際には圏内であることがユーザにとって明らかな場合、強制的な発信をユーザが移動機に要求できるようにすることで、速やかにバンドサーチが行われ、適切な無線基地局に向けて速やかに発信することができる。
【００１６】
ユーザインターフェースUIは、強制発信を行うか否かの選択肢を表示してもよい。これは、強制発信の意図を明確化する等の観点から好ましい。
【００１７】
或いは、圏外であることがユーザに示されていた場合、ユーザの発信要求は、一律に強制発信要求として処理されてもよい。これは、発信時のユーザのボタン操作回数を減らす等の観点から好ましい。
【００１８】
定期的にリセットされるタイマが満了した場合にバンドサーチを実行することに加えて、ユーザの発信要求が強制発信要求であった場合にもバンドサーチを実行し、その場合、タイマがリセットされてもよい。これは、定期的なバンドサーチを行いつつ、強制的なバンドサーチを速やかに行う一方、無駄なバンドサーチを避ける等の観点から好ましい。
【００１９】
以下、本発明による実施例を説明する。
【実施例１】
【００２０】
図2は、本発明の一実施例による移動機のブロック図を示す。図2には、ユーザ、移動機200及びネットワークNWが示されている。移動機200は、典型的には携帯電話であるが、携帯用パーソナルコンピュータ、情報端末、PDAその他の移動通信が可能な適切な如何なるユーザ装置でもよい。ネットワークNWは、移動機200と無線リンクを介して接続される無線基地局に加えて、無線基地局に接続された様々なエンティティや、コアネットワークを含む。移動機200は、ユーザインターフェース(UI)202、表示部204、発信判断部206、発信制御部210、バンドサーチ部212及び通信部214を有する。
【００２１】
ユーザインターフェース(UI)202は、ユーザと移動機との間のやりとりを行うためのインターフェースである。ユーザインターフェース(UI)202は、典型的には表示画面を有するディスプレイであるが、代替的に又は追加的に他のインターフェースを備えていてもよい。例えば、視覚的なインターフェースだけでなく、聴覚的なインターフェースが備わっていてもよい。ユーザインターフェース(UI)202は、ディスプレイ、制御パネル、液晶ディスプレイ(LCD)、キーボード、キーパッド、タッチパッド、マウス、トラックボール、マイクロフォン、スピーカ、又はそれらの適切な任意の組み合わせ等により構築されてよいが、これらに限定されない。
【００２２】
ユーザインターフェース(UI)202は、表示部204のような出力要素を有する。表示部204は、文字、図形、記号、画像等の様々な情報をユーザに視覚的に表示する。表示部204は、特に、移動機が圏外に属しているか否かをユーザに示す。
【００２３】
ユーザインターフェース(UI)202は、文字、図形、記号、英数字等を入力するための入力ボタン、決定ボタン、カーソル制御ボタン等の一般的な入力要素を有する。本実施例では、ユーザインターフェース(UI)202は、ユーザからの発信要求、特に「強制的な発信要求」をユーザから受け付ける。発信は、相手先の電話番号をユーザが入力して発信ボタンを押すことにより行われてもよい。或いは、発信は、ブラウザの画面内の決定ボタンを選択して押すことで行われてもよい。さらには、発信は、電子メール送信、ダウンロード及びその他のコマンド送信等の特定の処理用の決定ボタンを押すこと等により行われてもよい。
【００２４】
発信判断部206は、ユーザが希望している発信要求を発信制御部210に通知すべきか否かを判断する。後述するように、発信要求が発信制御部210に通知された場合、接続可能な無線基地局に発信要求が送信される。ユーザインターフェース(UI)202の表示部204が、「圏内」であることを表示していた場合、ユーザからの発信要求は、発信制御部210を通じて通信部214に速やかに通知される。表示部204が、「圏外」であることを表示していた場合、発信判断部206は、ユーザからの発信要求が、「強制的な発信要求」(強制発信要求)であるか否かを判断する。強制発信要求でなかった場合、その発信要求は拒否される。強制発信要求であった場合、その発信要求は発信制御部210に通知され、その後バンドサーチ部212によるバンドサーチが行われる。この点、従来の処理と大きく異なる。
【００２５】
表示部204が「圏外」であることを表示していた場合、ユーザが希望する発信要求として2種類考えられる。「圏外」が表示されていることを自覚しつつ、敢えて発信を試みる場合があり、これは「強制発信要求」と言及される。一方、そのような自覚はなく、発信を要求した際、たまたま圏外であったような場合もある。この発信要求は「通常の発信要求」、「通常発信要求」又は混乱のおそれがなければ単に「発信要求」と言及されてもよい。発信要求が「強制発信要求」であるか否かは、様々な方法で区別できる。
【００２６】
例えば、ユーザインターフェース(UI)202の表示部204において、「圏外」であることに加えて、強制的に発信するか否かの選択肢が表示されてもよい。一例として、「圏外」であることを示す画面の中で、
「強制的に発信しますか？  『はい』『いいえ』」
のような表示を行い、ユーザに問い合わせることが考えられる。
【００２７】
別の判別法もある。通常、音声であれば発信ボタンを、パケット送信等であれば決定ボタンを1度押下するが、そのようなボタンをユーザが複数回(例えば、3回)連続して押下することが、強制発信要求の意思表示として予め決められていてもよい。また、強制発信用に何らかの特別な記号やボタンが別途用意されていてもよい。
【００２８】
なお、表示部204が「圏外」であることを表示していた場合に、ユーザが「強制的」な発信を意図していたか否かを区別することは必須ではない。すなわち、「強制発信要求」と「通常の発信要求」とが区別されなくてもよい。表示部204が「圏外」であることを表示していた場合に、ユーザから要求される発信要求が、一律に「強制発信要求」として取り扱われてもよい。この場合、発信判断部206は、ユーザから受けた発信要求を、表示部204の表示によらず、一律に発信制御部210に通知することになる。
【００２９】
発信制御部210は、発信判断部206から通知された発信要求を、接続可能な無線基地局に通信部214が送信するための制御を行う。ユーザインターフェース(UI)202の表示部204が、「圏内」であることを示していた場合、接続可能な無線基地局は既に判明している。その場合、発信制御部210は、その無線基地局に向けて発信要求の信号を送信するように通信部214に指示する。一方、表示部204が「圏外」を示していた場合、接続可能な無線基地局は不明である。この場合、発信制御部210は、バンドサーチ部212に対して、バンドサーチを行うように指示する。
【００３０】
バンドサーチ部212は、定期的に及び不定期的にバンドサーチを行う。バンドサーチを行うことで、移動機にとって接続可能な無線基地局が検出される。そのような無線基地局が検出された場合、移動機は圏内に属しており、検出できなかった場合、移動機は圏外に属している。このような圏内又は圏外の判定結果は、ユーザインターフェース(UI)202の表示部204に通知され、表示される。移動機のバンドサーチ部212は、周辺の無線基地局からの受信レベルを測定し、受信レベルの良い無線基地局からの報知信号を受信し、接続可能な無線基地局に関する情報を取得する。バンドサーチは、例えば5秒程度の周期で行われてもよい。本実施例では、バンドサーチ部212は、周期的にバンドサーチを行うだけでなく、発信制御部210からの指示を受けた場合もバンドサーチを行う。発信制御部210からの指示に応答してバンドサーチが行われる場合、周期的に行われるバンドサーチのタイマ(図示せず)は、リセットされてもよい。
【００３１】
通信部214は、移動機が無線基地局と通信を行うための通信インターフェースである。通信部214は、発信制御部210からの指示に応じて発信を行う。また、通信部214は無線基地局から送信された信号を受信する。
【００３２】
図3は、移動機の動作例を示すフローチャートである。
【００３３】
ステップS1において、移動機のバンドサーチ部212はバンドサーチを行い、圏外であることを検出している。バンドサーチ部212は、周期的な次回のバンドサーチのタイミングに備えてタイマをセットする。上述したようにタイマで計る期間は、適切な如何なる秒数でもよいが、一例としては5秒程度である。
【００３４】
ステップS2では、バンドサーチ部212の判定結果(圏外であること)が、ユーザインターフェース(UI)202に通知される。ユーザインターフェース(UI)202の表示部204は、「圏外」であることを表示する。例えば、表示部204は「圏外」の文字を表示してもよい。
【００３５】
ステップS3では、ユーザが通常の発信を要求している。図3の動作例では、「通常の発信要求」と「強制的な発信要求」とが区別されているものとする。ただし、上述したようにこの区別は必須でない。
【００３６】
ステップS4では、発信判断部206により、ユーザからの発信要求が「通常の発信要求」であるか、又は「強制的な発信要求」であるかが判断される。目下の場合、発信要求は、通常の発信要求である。したがって、発信要求は、発信制御部210に通知されずに拒否される(ステップS5)。例えば、「圏外です」というポップアップが表示部204に表示されてもよい。
【００３７】
ステップS6では、ユーザから「強制的な発信要求」がなされる。この時点において、ユーザは、無線基地局からの電波が届く場所に移動しているものとする。例えば、ステップS1のバンドサーチが行われた時点では、ユーザはエレベータの中にいたが(明らかに圏外であったが)、その後、電波が届くと思われる駅のホームに移動したような場合が考えられる。
【００３８】
ステップS7でも、発信判断部206により、ユーザからの発信要求が「通常の発信要求」であるか、又は「強制的な発信要求」であるかが判断される。目下の場合、発信要求は、強制的な発信要求である。したがって、発信要求は、発信制御部210に通知される(ステップS8)。
【００３９】
ステップS9では、発信制御部210は、強制的な発信要求の通知を受けたことに応答して、バンドサーチ部210にバンドサーチを要求する。
【００４０】
ステップS10では、バンドサーチ部212が、バンドサーチの要求に応じてバンドサーチを実行する。目下の例の場合、ステップS1の直後にセットされたタイマは、ステップS10の時点では未だ満了していないことが仮定されている。この時点におけるユーザが、無線基地局からの電波が届く場所に居たとすると、バンドサーチ部212は、接続可能な無線基地局を検出できる。上述したように、接続可能な無線基地局の情報は、無線基地局から送信されている報知情報から取得することができる。図中、ネットワーク側(NW)から出ている左向きの多数の矢印は、そのような報知情報が、無線基地局から適宜送信されていることを概念的に表している。
【００４１】
ステップS11において、バンドサーチ部212は、移動機が接続可能な無線基地局を検出し、移動機は圏内に属していることが検出される。
【００４２】
ステップS12では、バンドサーチ部212は、接続可能な無線基地局の情報を発信制御部210に通知する。
【００４３】
ステップS13では、発信制御部210は、強制的な発信要求の信号を無線送信するように通信部214に指示する。
【００４４】
ステップS14において、通信部214は、発信制御部210からの指示に応じて、接続可能な無線基地局に発信要求の信号を無線送信する。
【００４５】
ステップS15では、バンドサーチ部212の判定結果(圏内であること)が、ユーザインターフェース(UI)202に通知される。これに応じてユーザインターフェース(UI)202の表示部204は、「圏内」であることを表示する。例えば、表示部204は、アンテナのピクトを表示してもよい。
【００４６】
ステップS10及びS11において、バンドサーチ部210が、移動機にとって接続可能な適切な無線基地局を検出できなかった場合、ステップS13の発信の許可は行われない。その場合、強制的な発信要求は不成功であったことがユーザに通知される。
【００４７】
図4は、通常発信要求及び強制発信要求に対する画面表示例を示す。この画面表示は、移動機のユーザインターフェース(UI)202の表示部204で行われる。図中、左側の画面例に示されているように、「圏外」であることが表示されている場合に、音声通信の発信要求が行われるものとする。図示の例では、相手先の電話番号「09012345678」が入力される又はメモリから呼び出され、発信ボタンが押される。この発信要求が、図3のステップS3のように「通常発信要求」であった場合、図4の右上に示されるように、発信要求は速やかに拒否される。これに対して、発信要求が図3のステップS6のように「強制発信要求」であった場合(例えば、発信ボタンが3回続けて押された場合)、速やかには拒否されず、バンドサーチが行われ、成功した場合は発信処理が行われる。このため、図4の右下に示されるような表示がなされる。
【００４８】
以上本発明は特定の実施例を参照しながら説明されてきたが、それらは単なる例示に過ぎず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。説明の便宜上、本発明の実施例に係る装置は機能的なブロック図を用いて説明されたが、そのような装置はハードウェアで、ソフトウェアで又はそれらの組み合わせで実現されてもよい。ソフトウェアは、ランダムアクセスメモリ(RAM)、フラッシュメモリ、読み取り専用メモリ(ROM)、EPROM、EEPROM、レジスタ、ハードディスク(HDD)、リムーバブルディスク、CD-ROM、データベース、サーバその他の適切な如何なる記憶媒体に用意されてもよい。本発明は、適切な如何なる移動通信システムに適用されてもよい。例えば本発明は、HSDPA/HSUPA方式のW-CDMAシステム、LTE方式のシステム、IMT-Advancedシステム、WiMAX, Wi-Fi方式のシステム等に適用されてもよい。本発明は上記実施例に限定されず、本発明の精神から逸脱することなく、様々な変形例、修正例、代替例、置換例等が本発明に包含される。
【符号の説明】
【００４９】
200  移動機  
202  ユーザインターフェース(UI)
204  表示部
206  発信判断部
210  発信制御部
212  バンドサーチ部
214  通信部
【図１】
2011055233.tif 000003
【図２】
2011055233.tif 000004
【図３】
2011055233.tif 000005
【図４】
2011055233.tif 000006